(57)【要約】　　　（修正有）【課題】美術作品の原画の細部までを再現し、複製される原画の筆使いが複製品表面上に三次元構成で再現される画像の三次元複製方法を提供する。【解決手段】複製する絵画又は写真を映像化し；写真及び／又は絵画の画像が表面上に複製される支持体１を用意し、該支持体上に、通常絵の具によって下塗り２又は薄膜を形成し；複製される画像を上記支持体１上に投影し；厚塗り部３を生み出す絵の具の筆使いを下塗り２上で行って、投影された画像上の厚塗り部における筆使いを再現し；厚塗り部における筆使いが投影された画像の対応する筆使いと一致するように、投影された画像を支持体上で中央揃えすることによって、処理された上記支持体１を印刷機中に置き；複製される画像を、上記支持体１に、上記下塗り２及び上記厚塗り部３上で印刷し；複製された画像を透明薄膜５により処理する方法としている。【選択図】　　　図２
2004001397.tif 000002
【特許請求の範囲】
【請求項１】
複製する画像を映像化し；
画像が表面上に三次元型に複製される支持体（１）を用意し；
上記支持体（１）上に下塗り（２）を形成し；
複製する画像を上記下塗り（２）上に投影し、投影されている画像の対応する筆使いの上に重ねて、上記下塗り（２）上で厚塗り部の筆使いを行い、この筆使いにより、複製される画像表面の凹凸の特徴が上記下塗り（２）上に再現され；筆使いが再現された上記支持体（１）を印刷機中に置き、投影された画像の対応する筆使いの上に、再現された筆使いを中央揃えし；
上記支持体（１）上の上記下塗り（２）及び上記厚塗り部（３）の上に、複製される画像を印刷する、
一連の工程を特徴とする、画像、特に絵画及び写真の三次元複製の方法。
【請求項２】
上記支持体（１）上の上記下塗り（２）が、上記支持体（１）に永久的に付着し且つ印刷色を受容するのに適しているもので形成されていることを特徴とする、請求項１記載の方法。
【請求項３】
上記下塗り（２）が、通常単色であることを特徴とする、請求項１記載の方法。
【請求項４】
上記下塗り（２）が、ビニル絵の具により形成されていることを特徴とする、請求項１記載の方法。
【請求項５】
上記下塗り（２）上の上記厚塗り部（３）が、通常、単色の絵の具を用いた筆使いにより形成されていることを特徴とする、請求項１記載の方法。
【請求項６】
上記下塗り（２）及び上記厚塗り部（３）の上で上記支持体（１）上に印刷された画像が、透明薄膜により処理されて、三次元印刷画像に輝き及び／又は鮮やかさが付与されていることを特徴とする、請求項１記載の方法。
【発明の詳細な説明】
【０００１】
本発明は、画像、特に絵画及び写真の三次元複製方法に関する。
【０００２】
多くの収集家が同じ画像を所持することができるように、有名絵画の複製品が数多く作製されることが知られている。
複製品は、ほぼ完璧に似せて一連の美術品を手描きによって複製する熟練複製者によって完成される。
上記複製品は、画像に迫力や力強さを与える、厚塗り部における筆使いを含めて、原画に非常に似通っている。
上記複製品は、熟練複製者の能力が非常に高い場合、非常に高価であり、それゆえ、全ての絵画収集家が、上述した技術を伴って複製された複製品を思い通りに扱い、楽しむことができるとは限らない。
【０００３】
高価ではない代替方法は、印刷複製の方法である。
印刷された複製品は、ほぼ完璧なものである。それらは、美術作品のごく小さな細部までも複製することができ、非常に手頃な価格で売られている。
これらの複製品は、見て容易に複製品であると分かり、冷たい感じを与える。その画像は、筆使いによって、その結果絵の具の厚塗りによって与えられる快活さがないため、感情がないように見える。特に、豊かな厚い絵の具によって絵画表面を不規則に見せて作品に味わいを与える芸術家の絵画の複製品においては、該複製品は冷たく見え、その見た目は、専門的な鑑賞家を満足させることはできない。
【０００４】
従って、本発明の目的は、安価で大量に複製品を作製することができ、しかも、美術作品の原画のごく小さな細部までもが再現され、且つ複製される原画の筆使いが複製品表面上に三次元構成で再現される、画像の三次元複製の方法を提供することにある。
【０００５】
本発明は、複製する画像を映像化し；画像が表面上に三次元型に複製される支持体（１）を用意し；上記支持体（１）上に下塗り（２）を形成し；複製する画像を上記下塗り（２）上に投影し、投影されている画像の対応する筆使いの上に重ねて、上記下塗り（２）上で厚塗り部の筆使いを行い、この筆使いにより、複製される画像表面の凹凸の特徴が上記下塗り（２）上に再現され；筆使いが再現された上記支持体（１）を印刷機中に置き、投影された画像の対応する筆使いの上に、再現された筆使いを中央揃えし；上記支持体（１）上の上記下塗り（２）及び上記厚塗り部（３）の上に、複製される画像を印刷する、一連の工程を特徴とする、画像、特に絵画及び写真の三次元複製の方法、を提供することにより上記目的を達成したものである。
【０００６】
複製される作品が写真である場合には、複製品は、肖像画のような外観を帯びるか、絵画特有の技術及び効果を伴って作製されたように見える。
【０００７】
本発明の画像の三次元複製の方法は、詳述すると以下の工程からなる。
先ず、複製する絵画又は写真を、写真による方法によって、又はスキャナ及びスキャナにより読み込んだ画像の電子データによる方法によって映像化する（映像化工程）。この映像化工程によって、複製する絵画又は写真の画像を、映写機により投影することが可能になる。映像化された画像は、厚塗り部を形成する、後述する厚塗り工程において使用する。
一方で、写真及び／又は絵画の画像を複製する支持体を用意し、該支持体の表面に、該支持体に安定して付着することができ且つ印刷色を定着させることができる下塗り又は薄膜を形成する（下塗り工程）。
次に、映像化しておいた複製する絵画又は写真の画像を、上記支持体表面に形成された上記の下塗り又は薄膜の上に投影する。絵画を複製する場合は、投影されている画像中に見られる筆使いを模倣しながら、投影されている画像に重ねるようにして、上記の下塗り又は薄膜上に通常単色で絵の具を厚く筆で塗って、複製される原画にある厚塗り部における筆使いを概略的に再現する（厚塗り工程）。写真を複製する場合、厚塗り工程においては、投影されている画像上で厚い筆使いを創作する。
次いで、厚塗り部が設けられた支持体を印刷機内に置く。このとき、対応する厚塗り部の筆使いと完全に一致させるため画像が支持体の中央に位置するようにしながら置く。印刷機内で支持体が置かれる位置は、印刷時に、厚塗り部の筆使いの上に、対応する筆使いの画像が完全に一致して印刷されるような位置である。印刷機中に支持体を正確に配置した後、印刷機を作動させて、複製する画像を支持体上に印刷する（印刷工程）。印刷方法としては、従来の二次元型の複製品を製作する際の印刷方法を用いることができる。
次いで、印刷面が形成された支持体を印刷機から取り出し、印刷面上に透明のコーティングを施して、複製品に輝きと鮮やかさを与える（仕上げ工程）。
以上の一連の工程によって、三次元型の複製品を得ることができる。
【０００８】
本発明の画像の三次元複製の方法によれば、複製品の「工業的な」生産を可能にすることができ、得られる複製品は、原画に忠実な複製であり、三次元であって平坦でなく、通常オイル又は透明ワニスにより処理された表面を有することによって、印刷により与えられた印象が隠され、最終的には非常に限られたコストで作製される。
【０００９】
さらに、本発明の画像の三次元複製の方法によれば、絵画又は写真を、原画に存在する部位の完全な比率を維持しながら、原画とは全くことなる寸法で複製することができる。
【００１０】
さらに、本発明の画像の三次元複製の方法によれば、調整された表面上で印刷操作を行うため、木材、キャンバス、布、ガラス、厚い又は薄いプラスチック材料等の様々な支持体上に複製することができる。
【００１１】
本発明の画像の三次元複製の方法について、平坦な支持体上への絵画の複製を例示し、概略図を参照しながら、以下に説明する。
【００１２】
図１は、印刷を受容する面の上に下塗り又は薄膜を設けた平坦な支持体の側面図である。
図２は、印刷される画像が投影されており、厚塗り部の筆使いを行うためのテンプレートとして用いられる、図１の支持体の側面図である。
図３は、輝き及び鮮やかさを与え、少なくとも複製された画像を自然に見せる透明薄膜により覆われた印刷された画像を有する、図２の支持体の側面図である。
尚、これらの図は、本発明の画像の三次元複製方法における一連の工程を理解することを補助するためのものであり、本発明はこれらの図によって何等制限を受けるものではない。
【００１３】
本発明は、三次元画像をいかなる支持体上にも複製することができる一連の工程からなる。
【００１４】
上記支持体は、どのような種類のものでもよく、薄くても厚くてもよい。画像を受像する上記支持体の表面は、該表面上に下塗り２が塗られることによって調整され、下塗り２上に、厚塗り部３を生み出す絵の具の筆使い及び印刷色を永久的に付着することができる。
【００１５】
通常、上記下塗り２は、合成ビニル絵の具を塗ることによって形成されるか、又は、素早く広げる若しくは塗ることができ且つ支持体１の表面上に永久的に付着するのに適したその他の材料であって、同時に厚塗り部３を生み出す絵の具及び印刷色が該材料自体に、それゆえ支持体１上に永久的に付着できる材料を塗ることによって形成される。
【００１６】
上述したように調整され、その後乾燥された支持体１は、複製される美術品の画像がその中に投影されるように、映写機４の前に置かれる。投影しながら、作業者が、投影された画像上で支持体を塗って、複製される美術品上に見える厚塗り部の筆使いを再現する。その際、通常、支持体１上に塗られた下塗り２に永久的に付着し、有効な印刷下地を形成する種類の絵の具を単色で用いる。多少厚みをもって塗られた絵の具は、その厚み故に、支持体１に塗られた下塗り２上に、厚塗り部を形成して、複製される美術品上にあるものとほぼ同一の筆使いを与えることができる。
【００１７】
上記厚塗り部３が形成された後、支持体１は通常単一色であり、筆使いによって生み出された厚塗り部３は、複製される美術品中にあるのと同じように分布している。
【００１８】
厚塗り部３が形成された上記支持体１は、通常の印刷複製と同じように二次元印刷の転写のように支持体１上に印刷を受像して、複製される画像を三次元複製する準備が整った状態である。
【００１９】
次に、厚塗り部３が形成された支持体１を印刷機中に置く。複製される画像の最初の投影は、厚塗り部３が、投影された画像上の対応する厚塗り部の上に一致して広がるような、印刷機中における支持体１の正確な位置を可能にする。印刷機中において支持体１が正確に中央に配置された後、印刷機が作動されて、複製される画像の色彩が表面２−３上に転写されて、三次元複製品が得られる。
【００２０】
複製品は、さらに、オイル処理又は透明ワニスにより精妙に仕上げることができる。それによって、輝き及び／又は鮮やかさが印刷された画像に付与されて、印刷色に快活さをもたらし且つ完璧な熟練複製者によって実際に描かれた美術品のように見える。
【００２１】
写真からの複製の場合、厚塗り部３は、特に色彩の変化が起こっている線に沿って、想像しながら自由に創作する。印刷機中における中央への配置は、適宜な方法によって行えばよい。
【００２２】
作業工程中、支持体１上の下塗り２は、その上に複製される画像が複写されるのであるが、上記支持体１が先ず塗られた厚塗り部３を、次いで印刷色を受容するのに適したように作製される限り、様々に変化させることができる。
【００２３】
同様に、下塗り２上に塗られる材料は、複製される美術品上の対応する厚塗りを模造する厚塗り部３を生み出すためのものであるが、下塗り２上に付着することができ且つ複製される画像を複写する印刷色を受容することができる限り、いかなる種類のものであってもよい。
【図面の簡単な説明】
【図１】図１は、印刷を受容する面の上に下塗り又はフィルムを設けた平坦な支持体の側面図である。
【図２】図２は、印刷される画像が投影されており、厚塗り部の筆使いを行うためのテンプレートとして用いられる、図１の支持体の側面図である。
【図３】図３は、輝き及び鮮やかさを与え、少なくとも複製された画像を自然に見せる透明薄膜により覆われた印刷された画像を有する、図２の支持体の側面図である。
【符号の説明】
１　支持体
２　下塗り
３　厚塗り部
４　映写機
５　透明薄膜
【図１】
2004001397.tif 000003
【図２】
2004001397.tif 000004
【図３】
2004001397.tif 000005